(57)【要約】【課題】全体を薄型化することができる携帯端末を提供する。【解決手段】第１筐体２０と第２筐体３０とをスライド可能に連結する連結部４０を、第１筐体２０に収容された第１回路基板５１と、第２筐体３０に収容された第２回路基板５２とで挟むようにしたので、これまでアッパーケース２２やロアケース３２等に取り付けられていた第１回路基板５１および第２回路基板５２を連結部４０に取付けることにより、アッパーケース２２やロアケース３２を薄く構成することができる。これに伴い、携帯端末１０の全体厚の薄型化を図ることができる。【選択図】図１
2008219851.tif 000002
【特許請求の範囲】
【請求項１】
第１筐体と、
第２筐体と、
前記第１筐体に収容された第１回路基板と、
前記第２筐体に収容された第２回路基板と、
前記第１回路基板と前記第２回路基板とに挟まれているとともに、前記第２筐体に対し前記第１筐体をスライド移動させる連結部と、
を備えた携帯端末。
【請求項２】
前記第１筐体および前記第２筐体のうちの一方に設けられたガイド爪部と、
前記第１筐体および前記第２筐体のうちの他方に設けられ、前記ガイド爪と係合する係合部と、
を有することを特徴とする請求項１に記載の携帯端末。
【請求項３】
前記ガイド爪部および前記係合部が、前記第２筐体に対し前記第１筐体がスライド移動した開状態においてのみ係合することを特徴とする請求項２に記載の携帯端末。
【請求項４】
前記連結部により前記第１筐体および前記第２筐体が互いに重なる閉状態と、前記第１筐体および第２筐体を摺動して伸張する開状態と、をとり得るとともに、
前記第１筐体は、前記閉状態から前記開状態へと変化するときの第１筐体移動方向側端部の厚みを第１筐体移動方向反対側端部より厚く構成し、
前記第２筐体は、前記閉状態から前記開状態へと変化するときの第２筐体移動方向側端部の厚みを第２筐体移動方向反対側端部より厚く構成し、
前記閉状態において、前記第１筐体移動方向反対側端部と前記第２筐体移動方向側端部とが重なり合い、
前記開状態において、前記第１筐体移動方向側端部と前記第２筐体移動方向反対側端部とが重なり合うことを特徴とする請求項１ないし請求項３のいずれかに記載の携帯端末。
【請求項５】
前記第１筐体は段差形状を有し、前記第２筐体は段差形状を有し、前記第２筐体に対し前記第１筐体をスライド移動させると前記第１筐体と前記第２筐体との間に空隙を生じることを特徴とする請求項１から請求項３のいずれか１項に記載の携帯端末。
【請求項６】
前記連結部が、スライドレールとスライドベースとを備え、前記スライドレールと前記スライドベースとのうちの一方に設けられて前記スライド移動方向に連続する溝と、前記スライドレールと前記スライドベースとのうちの他方に設けられて前記溝に案内される突起部とを有していることを特徴とする請求項１に記載の携帯端末。
【発明の詳細な説明】
【技術分野】
【０００１】
本発明は、第１筐体および第２筐体が互いに重なる閉状態と、第１筐体および第２筐体を摺動して伸長する開状態とを選択可能な携帯端末に関するものである。
【背景技術】
【０００２】
従来、箱状の上筐体と下筐体とを、連結部によってスライド可能に連結している携帯端末が知られている（例えば特許文献１参照）。
特許文献１に記載の携帯端末では、アッパーケースおよびアッパーカバーを有する上筐体と、ロアケースおよびロアカバーを有する下筐体とを有しており、上筐体の上面に表示部および上操作部を有し、下筐体の上面に下操作部を有している。上下両筐体は、レールおよびガイドからなる連結部によってスライド可能に連結されており、閉状態では両筐体が重なるため、下操作部は上筐体の下に隠れることになる。一方、両筐体を相対的に移動させて開状態とすると、下筐体の下操作部が現れて開状態となる。
【特許文献１】特開２００５−２４４６７９号公報
【発明の開示】
【発明が解決しようとする課題】
【０００３】
しかしながら、前述した特許文献１に記載の携帯端末では、連結部を構成するレールとガイドとは、それぞれアッパーケースやロアカバーに固定されているため、アッパーケースおよびロアカバーの肉厚分が、携帯端末の全体の薄型化の障害になっているという問題があった。
【０００４】
本発明は、前述した問題を解決するためになされたもので、全体を薄型化することができる携帯端末を提供することにある。
【課題を解決するための手段】
【０００５】
本発明の携帯端末は、第１筐体と、第２筐体と、前記第１筐体に収容された第１回路基板と、前記第２筐体に収容された第２回路基板と、前記第１回路基板と前記第２回路基板とに挟まれているとともに、前記第２筐体に対し前記第１筐体をスライド移動させる連結部と、を備えている。
【０００６】
この構成により、これまで第１筐体に収容されていた第１回路基板と、第２筐体に収容されていた第２回路基板が連結部に取り付けられるため、アッパーケースやロアカバーの肉厚が全体の厚みに悪影響を及ぼさず、携帯端末の全体厚の薄型化を図ることができる。
【０００７】
また、本発明の携帯端末は、前記第１筐体および前記第２筐体のうちの一方に設けられたガイド爪部と、前記第１筐体および前記第２筐体のうちの他方に設けられ、前記ガイド爪と係合する係合部と、を有している。
【０００８】
この構成により、第１筐体と第２筐体とを相対的にスライドさせる際に、一方に設けたガイド爪部が、他方に設けられている係合部に係合するので、携帯端末を折り曲げたり捻ったりするような外力に対する剛性が向上する。
【０００９】
さらに、本発明の携帯端末は、前記ガイド爪部および前記係合部が、前記第２筐体に対し前記第１筐体がスライド移動した開状態においてのみ係合する構成を有している。
【００１０】
この構成により、ガイド爪部と係合部とが、開状態においてのみ係合するので、開状態における携帯端末の剛性が向上する。また、スライド移動中にはガイド爪部と係合部とが係合しないので、摺動抵抗が少なく円滑なスライド移動（開閉）を行うことができる。
【００１１】
さらに、本発明の携帯端末は、前記連結部により前記第１筐体および前記第２筐体が互いに重なる閉状態と、前記第１筐体および第２筐体を摺動して伸張する開状態と、をとり得るとともに、前記第１筐体は、前記閉状態から前記開状態へと変化するときの第１筐体移動方向側端部の厚みを第１筐体移動方向反対側端部より厚く構成し、前記第２筐体は、前記閉状態から前記開状態へと変化するときの第２筐体移動方向側端部の厚みを第２筐体移動方向反対側端部より厚く構成し、前記閉状態において、前記第１筐体移動方向反対側端部と前記第２筐体移動方向側端部とが重なり合い、前記開状態において、前記第１筐体移動方向側端部と前記第２筐体移動方向反対側端部とが重なり合う構成を有している。
【００１２】
この構成により、第１筐体および第２筐体は、共に厚い部分と薄い部分とを有している。そして、閉状態においては、第１筐体において薄い部分である第１筐体移動方向反対側端部と、第２筐体において厚い部分である第２筐体移動方向側端部とが重なり合う。また、開状態においては、第１筐体において厚い部分である第１筐体移動方向側端部と第２筐体において薄い部分である第２筐体移動方向反対側端部とが重なり合うので、全体厚を薄く抑えることができる。
【００１３】
さらに、本発明の携帯端末は、前記第１筐体は段差形状を有し、前記第２筐体は段差形状を有し、前記第２筐体に対し前記第１筐体をスライド移動させると前記第１筐体と前記第２筐体との間に空隙を生じる構成を有している。
【００１４】
この構成により、第１筐体および第２筐体を共に段差形状としたので、第１筐体と第２筐体とを積層した閉状態ではぴったりと重なるとともに、第１筐体と第２筐体とを相対的にスライドさせた開状態では、第１筐体と第２筐体との間に空隙が生じることになる。
【００１５】
さらに、本発明の携帯端末は、前記連結部が、スライドレールとスライドベースとを備え、前記スライドレールと前記スライドベースとのうちの一方に設けられて前記スライド移動方向に連続する溝と、前記スライドレールと前記スライドベースとのうちの他方に設けられて前記溝に案内される突起部とを有している。
【００１６】
この構成により、互いにスライド可能に支持するスライドレールおよびスライドベースの一方にスライド方向に長い溝を設けるとともに、他方に前記溝に沿って移動する突起部を設けたので、スライドレールとスライドベースとを互いにスライドさせて閉状態としたときおよび開状態としたときに、突起部が溝の端部に当接して確実にストップすることになる。これにより、第１筐体と第２筐体とを開く際および閉じる際に、不意に強い力が加わっても、壊れるのを防止することができる。
【発明の効果】
【００１７】
本発明は、第１筐体と第２筐体とをスライド可能に連結する連結部を、第１筐体に収容された第１回路基板と、第２筐体に収容された第２回路基板とで挟むようにしたので、これまでアッパーケースやロアケース等に取り付けられていた第１回路基板および第２回路基板を連結部に取り付けることにより、携帯端末の全体厚の薄型化を図ることができるという効果を有する携帯端末を提供することができるものである。
【発明を実施するための最良の形態】
【００１８】
以下、本発明の実施形態の携帯端末について、図面を用いて説明する。
図１（Ａ）は本発明にかかる実施形態の開状態の携帯端末を上方から見た斜視図、図１（Ｂ）は下方から見た斜視図、図２（Ａ）は本発明にかかる実施形態の閉状態の携帯端末を上方から見た斜視図、図２（Ｂ）は下方から見た斜視図、図３（Ａ）は閉状態の携帯端末の平面図、図３（Ｂ）は図３（Ａ）中Ｂ−Ｂ位置の断面図、図４（Ａ）は開状態の携帯端末の平面図、図４（Ｂ）は図４（Ａ）中Ｂ−Ｂ位置の断面図、図５（Ａ）は上筐体のアッパーカバーを裏面側から見た斜視図、図５（Ｂ）は上筐体のアッパーケースを下方から見た斜視図、図６（Ａ）は下筐体のロアカバーを上方から見た斜視図、図６（Ｂ）は下筐体のロアケースを上方から見た斜視図、図７（Ａ）は閉状態の連結部を上方から見た斜視図、図７（Ｂ）は開状態の連結部を上方から見た斜視図、図８（Ａ）は閉状態の連結部を下方から見た斜視図、図８（Ｂ）は開状態の連結部を下方から見た斜視図、図９（Ａ）および（Ｂ）はガイド爪部と係合部との係合状態を示す断面図、図１０は上筐体および下筐体を下筐体側から見た分解斜視図である。
【００１９】
図１および図２に示すように、携帯端末１０は、矩形箱状をした第１筐体である上筐体２０と、同様に矩形箱状をした第２筐体である下筐体３０と、上筐体２０および下筐体３０をスライド可能に連結する連結部４０（図７、図８参照）とを有している。
【００２０】
図５（Ａ）および図５（Ｂ）に示すように、上筐体２０は、平面的な枠状をしたアッパーカバー２１と、上部が開口した箱状のアッパーケース２２とを有しており、アッパーケース２２の上端部に開口を囲うようにしてアッパーカバー２１が取付けられている。アッパーケース２２は開状態において下面に露出する程度の大きさを有しており、アッパーカバー２１の前部のみに設けられている。
【００２１】
そして、図２および図４に示す閉状態から図１および図３に示す開状態へと変化するときの、上筐体２０の相対的移動方向である第１筐体移動方向（図１〜図４における矢印参照）側端部（すなわち、前端）２０Ｆの厚みＨＵ１（図４（Ｂ）参照）を第１筐体移動方向反対側端部（すなわち、後端）２０Ｒの厚みＨＵ２（図４（Ｂ）参照）より厚く構成して、段差形状となっている。
【００２２】
また、図６（Ａ）および図６（Ｂ）に示すように、下筐体３０は、下筐体３０の全面を覆う大きさの矩形箱状のロアケース３２と、ロアケース３２の後端部付近のみを覆うロアカバー３１とを有している。
ロアケース３２は、図２および図４に示す閉状態から図１および図３に示す開状態へと変化するときの第２筐体移動方向（図１〜図４における矢印参照）側端部（すなわち、後端）３０Ｒの厚みＨＬ１（図４（Ｂ）参照）を第２筐体移動方向反対側端部（すなわち、前端）３０Ｆの厚みＨＬ２（図４（Ｂ）参照）より厚く構成して、段差形状となっている。
【００２３】
従って、図２および図４に示すように、閉状態においては、上筐体２０において薄い部分である第１筐体移動方向反対側端部２０Ｒと、下筐体３０において厚い部分である第２筐体移動方向側端部３０Ｒとが重なり合うことになり、主操作部３５はナビ操作部２４の下方に隠れることになる。
一方、図１および図３に示すように、上筐体２０および下筐体３０を連結部４０によって相対的にスライド移動させた開状態においては、上筐体２０において厚い部分である第１筐体移動方向側端部２０Ｆと、下筐体３０において薄い部分である第２筐体移動方向反対側端部３０Ｆとが重なり合う。このため、主操作部３５はナビ操作部２４の下側（図５において左側）に露出することになり、操作可能となる。また、携帯端末１０の内部においては、上筐体２０と下筐体３０との間に空隙１１を生じることになる。
【００２４】
図５（Ａ）および図５（Ｂ）に示すように、上筐体２０におけるアッパーカバー２１にはＬＣＤによる表示部用の表示窓２３、ナビ操作部２４、レシーバ用切欠き２５、自分撮りカメラ用穴２６等が設けられている。なお、図３、図４、図１０に示すように、ナビ操作部２４の下側にはキーシート２４ａが設けられており、キーシート２４ａの下側にはキーシート２４ａを支持する支持板２４ｂが設けられている。
【００２５】
図５（Ａ）に示すように、アッパーカバー２１の前端部下面には、アッパーケース２２に係止するための複数個の係止爪２８ａが設けられている。また、アッパーカバー２１の後端部下面には、ガイド爪部を構成する一対の第１ガイド爪６１、６１が内側に向かって対向して設けられている。
一方、図５（Ｂ）に示すように、アッパーケース２２の下面には、相手撮りカメラ用窓２７が設けられている。アッパーケース２２の後端部には、アッパーカバー２１の係止爪２８ａを係止する係止部２８ｂが設けられている。従って、係止爪２８ａを係止部２８ｂで係止することにより、アッパーカバー２１とアッパーケース２２とを一体化している。また、アッパーカバー２１の後端部両外側面には、ガイド爪部を構成する一対の第２ガイド爪６２、６２が、外側に突出して設けられている。
【００２６】
図６（Ａ）および図６（Ｂ）に示すように、ロアカバー３１は下筐体３０の後端部を覆うものであり、複数のキー３３ａを有する操作部３３（図１参照）が操作可能な操作部用窓３４を有している。図３、図４、図１０に示すように、操作部３３では、複数のキー３３ａの下側にはキーシート３３ｂが設けられており、キーシート３３ｂの下側には支持板３３ｃが設けられてキーシート３３ｂを支持している。
【００２７】
また、図６（Ａ）に示すように、ロアカバー３１の前端部両外側面には、係合部を構成する一対の係合爪６４、６４が外向きに突出して設けられている。この係合爪６４は、図９（Ａ）に示すように、上下筐体２０、３０をスライドさせて開状態になったときのみ上筐体２０の第１ガイド爪６１に係合するようになっている。従って、上下筐体２０、３０のスライド時には摺動抵抗とはならず、開状態における携帯端末１０の剛性を向上させている。
【００２８】
一方、ロアケース３２の底面３２ａには、電池カバー３５（図１、図２参照）を着脱可能に支持する電池交換用切欠き３６が設けられており、内部には電池３５ａが交換可能に収納されている。ロアケース３２の前端部には相手撮りカメラ用のカメラ窓３７が設けられており、ロアケース３２の後端面にはマイク用切欠き３８が設けられている。また、ロアケース３２の両内側面には、スライド方向に沿って係合部を構成するガイド溝６５が設けられている。図９（Ｂ）に示すように、このガイド溝６５には、前述した上筐体２０に設けられている第２ガイド爪６２が常時係合しており、上下筐体２０、３０をスライド可能に支持している。
【００２９】
図２（Ａ）に示すように、上筐体２０と下筐体３０とが完全に重なった閉状態では、下筐体３０に設けられている操作部３５は完全に隠れており、図１（Ａ）に示すように、上筐体２０および下筐体３０をスライドさせて伸張した開状態にすることにより現れて操作可能となる。
【００３０】
図７および図８に示すように、上筐体２０のアッパーカバー２１とアッパーケース２２で形成される内部空間には、上筐体２０および下筐体３０をスライド可能に支持する連結部４０が取り付けられている。連結部４０を構成するスライドレール４１は上筐体２０に取り付けられており、スライドレール４１の上面４１ａには第１回路基板である上回路基板５１が取付けられている。また、スライドレール４１をスライド可能に支持するスライドベース４２は下筐体３０に取り付けられており、スライドベース４２の下面には第２回路基板である下回路基板５２が取り付けられている。従って、連結部４０を構成するスライドレール４１およびスライドベース４２は、上回路基板５１および下回路基板５２によって挟まれる構造となる。
【００３１】
図１０に示すように、上筐体２０内部における上回路基板５１の下側（図１０においては上側）には、上筐体２０と下筐体３０とをスライド可能に連結する連結部４０を構成するレールである金属製のスライドレール４１が設けられている。スライドレール４１は全体Ｈ形状をしており、中央の幅広のスライドレール本体４１ｃからスライド方向後方（図１０中台２筐体移動方向）に突出して一対のスライド支持部４１ｄ、４１ｅが設けられている。一対のスライド支持部４１ｄ、４１ｅの内の少なくとも一方（ここでは、例えばスライド支持部４１ｄ）の先端部下面（図１０では上面）に、突起部４１ｆが下方へ突出して設けられている。このスライドレール４１は、ネジ４１ａによって上回路基板５１を介してアッパーカバー２１に締結されるとともに、ネジ４１ｂによって上回路基板５１に締結されている。
【００３２】
一方、図１０に示すように、下筐体３０におけるロアカバー３１とロアケース３２との間には、連結部４０を構成するスライドベース４２が取付けられている。スライドベース４２は全体矩形平面状をしており、スライドレール４１のスライド支持部４１ｄがスライドする位置に対応して、溝４２ｃが切りかかれている。この溝４２ｃは、スライド移動方向に連続し、且つ長さが連結部４０のスライド長さと等しいものである。従って、スライドレール４１とスライドベース４２とを組み合わせると、スライドレール４１の突起部４１ｆが、スライドベース４２の溝４２ｃ内から下方（図８において上方）へ突出することになる。このスライドベース４２はネジ４２ａによってロアカバー３１とロアケース３２との間に固定されると共に、ネジ４２ｂによってロアケース３２に固定されている。
【００３３】
従って、図８（Ａ）に示すように、携帯端末１０の閉状態においては、突起部４１ｆは溝４２ｃの後端に当接して停止する。また、図８（Ｂ）に示すように、開状態においては、突起部４１ｆは溝４２ｃの前端に当接して停止することになる。
なお、ここでは、スライドレール４１側に突起部４１ｆを設けるとともに、スライドベース４２側に溝４２ｃを設けたが、逆に、スライドレール４１側に溝を設け、スライドベース４２側に溝に沿って移動する突起部を設けるようにすることもできる。この場合には、突起部はスライドベース４２から上方へ突出することになる。
【００３４】
以上、説明した携帯端末１０によれば、上筐体２０と下筐体３０とをスライド可能に連結する連結部４０を、上回路基板５１と下回路基板５２とで挟むようにしたので、これまでアッパーケース２２やロアケース３２等に取り付けられていた上回路基板５１および下回路基板５２を、連結部４０に取り付けることができる。これにより、アッパーケース２２やロアケース３２を薄く構成することができ、携帯端末１０の全体厚の薄型化を図ることができる。
【００３５】
また、携帯端末１０によれば、上下筐体２０、３０をスライドさせて開状態になったときのみロアカバー３１の係合爪６４と、上筐体２０のアッパーカバー２１に設けられた第１ガイド爪６１、６１とが係合するため、上下筐体２０、３０のスライド時には摺動抵抗とはならず、開状態における折り曲げたり捻ったりするような外力に対する携帯端末１０の剛性が向上する。
さらに、携帯端末１０によれば、ロアケース３２に設けられたガイド溝６５と、アッパーケース２２に設けられた第２ガイド爪６２が常時係合しているため、上下筐体２０、３０をスライド状態に関わらず、携帯端末１０の剛性が向上する。
【００３６】
そして、携帯端末１０によれば、上下筐体２０、３０は共に厚い部分と薄い部分とを有し、閉状態においては、上筐体２０の第１筐体移動方向反対側端部２０Ｒと、下筐体３０の第２筐体移動方向側端部３０Ｒとが重なり合い、開状態においては、上筐体２０の第１筐体移動方向側端部２０Ｆと、下筐体３０の第２筐体移動方向反対側端部３０Ｆとが重なり合うので、全体厚を薄く抑えることができる。
【００３７】
さらに、携帯端末１０によれば、互いにスライド可能に支持するスライドレール４１およびスライドベース４２の一方であるスライドベース４２にスライド方向に長い溝４２ｃを設けるとともに、他方であるスライドレール４１に溝４２ｃに沿って移動する突起部４１ｆを設けたので、スライドレール４１とスライドベース４２とを互いにスライドさせて閉状態としたときおよび開状態としたときに、突起部４１ｆが溝４２ｃの端部に当接して確実にストップすることになる。これにより、上筐体２０と下筐体３０とを開く際および閉じる際に、不意に強い力が加わっても、壊れるのを防止することができる。
【産業上の利用可能性】
【００３８】
以上のように、本発明によれば、携帯端末の全体厚の薄型化を図ることができるという効果を有し、第１筐体および第２筐体が互いに重なる閉状態と、第１筐体および第２筐体を摺動して伸長する開状態とを選択可能な携帯端末等として有用である。装置携帯電話機、ＰＤＡ、モバイル型のＰＣ、ノート型ＰＣなどのようなスライド可能な小型電子機器に適用するのに好適である。
【図面の簡単な説明】
【００３９】
【図１】（Ａ）は本発明の実施形態にかかる開状態の携帯端末を上方から見た斜視図、（Ｂ）は下方から見た斜視図である。
【図２】（Ａ）は本発明の実施形態にかかる閉状態の携帯端末を上方から見た斜視図、（Ｂ）は下方から見た斜視図である。
【図３】（Ａ）は閉状態の携帯端末の平面図、（Ｂ）は図３（Ａ）中Ｂ−Ｂ位置の断面図である。
【図４】（Ａ）は開状態の携帯端末の平面図、（Ｂ）は図４（Ａ）中Ｂ−Ｂ位置の断面図である。
【図５】（Ａ）は上筐体のアッパーカバーを裏面側から見た斜視図、（Ｂ）は上筐体のアッパーケースを下方から見た斜視図である。
【図６】（Ａ）は下筐体のロアカバーを上方から見た斜視図、（Ｂ）は下筐体のロアケースを上方から見た斜視図である。
【図７】（Ａ）は閉状態の連結部を上方から見た斜視図、（Ｂ）は開状態の連結部を上方から見た斜視図である。
【図８】（Ａ）は閉状態の連結部を下方から見た斜視図、（Ｂ）は開状態の連結部を下方から見た斜視図である。
【図９】（Ａ）第１ガイド爪と係合爪との係合状態を示す断面図、（Ｂ）第２ガイド爪とガイド溝との係合状態を示す断面図である。
【図１０】上筐体および下筐体を下筐体側から見た分解斜視図である。
【符号の説明】
【００４０】
１０  携帯端末
２０  上筐体（第１筐体）
２０Ｆ  （第１筐体移動方向側端部）
２０Ｒ  （第１筐体移動方向反対側端部）
３０  下筐体（第２筐体）
３０Ｆ  （第２筐体移動方向反対側端部）
３０Ｒ  （第２筐体移動方向側端部）
４０  連結部
４１  スライドレール
４１ｆ  突起部
４２  スライドベース
４２ｃ  溝
５１  上回路基板（第１回路基板）
５２  下回路基板（第２回路基板）
６１  第１ガイド爪（ガイド爪部）
６２  第２ガイド爪（ガイド爪部）
６４  係合爪（係合部）
６５  ガイド溝（係合部）
【図１】
2008219851.tif 000003
【図２】
2008219851.tif 000004
【図３】
2008219851.tif 000005
【図４】
2008219851.tif 000006
【図５】
2008219851.tif 000007
【図６】
2008219851.tif 000008
【図７】
2008219851.tif 000009
【図８】
2008219851.tif 000010
【図９】
2008219851.tif 000011
【図１０】
2008219851.tif 000012